(57)【要約】【課題】空気の流動が少ない建造物の密閉された内部空間の空気に含まれる放射性有機ヨウ素を確実に除去することができる放射性有機ヨウ素除去フィルタを提供する。【解決手段】放射性有機ヨウ素除去フィルタ１０Ａは、放射性有機ヨウ素を捕集する活性炭素繊維から作られ、所定の建造物のうちの空気の流動が少ない密閉された内部空間に所定時間放置されるパッシブ法により、内部空間における空気の対流によって濃度が均一化する放射性有機ヨウ素を次第に除去する。【選択図】図１
2012247337.tif 000002
【特許請求の範囲】
【請求項１】
縦方向へ延びる両端縁部と横方向へ延びる両側縁部とを有する所定面積のシート状に成型され、空気に含まれる放射性有機ヨウ素を除去する放射性有機ヨウ素除去フィルタにおいて、
前記フィルタが、前記放射性有機ヨウ素を捕集する活性炭素繊維から作られ、所定の建造物のうちの空気の流動が少ない密閉された内部空間に所定時間放置されるパッシブ法により、前記内部空間における空気の対流によって濃度が均一化する前記放射性有機ヨウ素を次第に除去することを特徴とする放射性有機ヨウ素除去フィルタ。
【請求項２】
前記放射性有機ヨウ素除去フィルタには、それにプリーツ加工を施すことにより、前記縦方向と前記横方向とのいずれか一方へ並ぶ複数のプリーツが形成されている請求項１に記載の放射性有機ヨウ素除去フィルタ。
【請求項３】
前記放射性有機ヨウ素除去フィルタが、繊維不織布、織物、編み物のうちのいずれかの形態を有する請求項１または請求項２に記載の放射性有機ヨウ素除去フィルタ。
【請求項４】
前記放射性有機ヨウ素除去フィルタの全体が、撥水性繊維不織布または疎水性繊維不織布に包被されている請求項１ないし請求項３いずれかに記載の放射性有機ヨウ素除去フィルタ。
【請求項５】
前記放射性有機ヨウ素除去フィルタでは、試験用ヨウ化メチルの初期濃度が約１００ｐｐｍの気体に対し、体積／活性炭素繊維面積比が０．１２５ｍ３／０．２５ｍ２の場合、約７０分放置した前記パッシブ法による試験用ヨウ化メチルの濃度が０．３ｐｐｍに減少し、体積／活性炭素繊維面積比が０．１２５ｍ３／０．０６２５ｍ２の場合、約２００分放置した前記パッシブ法による試験用ヨウ化メチルの濃度が４ｐｐｍに減少する請求項１ないし請求項４いずれかに記載の放射性有機ヨウ素除去フィルタ。
【請求項６】
前記活性炭素繊維の平均繊維径が、１０〜１８μｍの範囲にあり、前記放射性有機ヨウ素除去フィルタの目付が、１００〜３５０ｇ／ｍ２の範囲、前記放射性有機ヨウ素除去フィルタのみかけの嵩密度が、０．０３〜０．１３ｇ／ｃｍ３の範囲にある請求項１ないし請求項５いずれかに記載の放射性有機ヨウ素除去フィルタ。
【請求項７】
前記放射性有機ヨウ素除去フィルタの厚み寸法が、２〜４ｍｍの範囲にあり、前記放射性有機ヨウ素除去フィルタの面速が、８〜２０ｃｍ／ｓｅｃの範囲にある請求項１ないし請求項６いずれかに記載の放射性有機ヨウ素除去フィルタ。
【請求項８】
前記放射性有機ヨウ素を吸着するアミン類が、前記放射性有機ヨウ素除去フィルタを形成する活性炭素繊維に添着され、空気の湿度９５％における前記放射性有機ヨウ素除去フィルタの放射性有機ヨウ素捕集効率が、９５％以上である請求項１ないし請求項７いずれかに記載の放射性有機ヨウ素除去フィルタ。
【請求項９】
前記アミン類が、トリエチレンジアミンＣ６Ｈ１２Ｎ２であり、前記活性炭素繊維の単位重量に対する前記トリエチレンジアミンＣ６Ｈ１２Ｎ２の添着量が、１０〜２０重量％の範囲にある請求項８に記載の放射性有機ヨウ素除去フィルタ。
【請求項１０】
放射性有機ヨウ素を捕集する活性炭素繊維から作られ、縦方向へ延びる両端縁部と横方向へ延びる両側縁部とを有する所定面積のシート状に成型されて空気に含まれる放射性有機ヨウ素を除去する放射性有機ヨウ素除去フィルタを利用し、所定の建造物のうちの空気の流動が少ない密閉された内部空間に前記フィルタを所定時間放置するパッシブ法により、前記内部空間における空気の対流によって濃度が均一化する前記放射性有機ヨウ素を次第に除去する放射性有機ヨウ素除去方法。
【請求項１１】
前記活性炭素繊維には、前記放射性有機ヨウ素を吸着するアミン類が添着されている請求項１０に記載の放射性有機ヨウ素除去方法。
【発明の詳細な説明】
【技術分野】
【０００１】
本発明は、空気中に含まれる放射性有機ヨウ素の除去に使用される放射性有機ヨウ素除去フィルタおよびその放射性有機ヨウ素除去フィルタを利用した放射性有機ヨウ素除去方法に関する。
【背景技術】
【０００２】
細孔直径３〜３０ｎｍの細孔容積が０．１５ｃｃ／ｇ以下であって、細孔直径３ｎｍ未満の細孔容積が０．５０ｃｃ／ｇ以上の繊維状活性炭から形成されたシートにアミンを添着した放射性物質モニタリング材がある（特許文献１参照）。この放射性物質モニタリング材は、原子力関連施設や放射線発生装置を利用する医療機関において空気中の放射性物質の除去、特に放射性ヨウ素やヨウ化メチルの除去に利用される。
【先行技術文献】
【特許文献】
【０００３】
【特許文献１】特開２００４−１５６９６３号公報
【発明の概要】
【発明が解決しようとする課題】
【０００４】
前記特許文献１に開示の放射性物質モニタリング材は、それに空気を強制的に通流させる場合に、その放射性物質除去機能を十分に発揮するが、空気の流動が少ない建造物の密閉された内部空間にそれを設置して所定時間放置するパッシブ法による利用において放射性物質除去機能を十分に発揮するかは明らかではなく、空気の流動が少ない密閉された内部空間における使用には不向きである。
【０００５】
本発明の目的は、空気の流動が少ない建造物の密閉された内部空間の空気に含まれる放射性有機ヨウ素を確実に除去することができる放射性有機ヨウ素除去フィルタおよびその放射性有機ヨウ素除去フィルタを利用した放射性有機ヨウ素除去方法を提供することにある。
【課題を解決するための手段】
【０００６】
前記課題を解決するための本発明の前提は、縦方向へ延びる両端縁部と横方向へ延びる両側縁部とを有する所定面積のシート状に成型され、空気に含まれる放射性有機ヨウ素を除去する放射性有機ヨウ素除去フィルタである。
【０００７】
前記前提における本発明の特徴は、放射性有機ヨウ素除去フィルタが放射性有機ヨウ素を捕集する活性炭素繊維から作られ、所定の建造物のうちの空気の流動が少ない密閉された内部空間に所定時間放置されるパッシブ法により、内部空間における空気の対流によって濃度が均一化する放射性有機ヨウ素を次第に除去することにある。
【０００８】
本発明の一例としては、放射性有機ヨウ素除去フィルタには、それにプリーツ加工を施すことにより、縦方向と横方向とのいずれか一方へ並ぶ複数のプリーツが形成されている。
【０００９】
本発明の他の一例としては、放射性有機ヨウ素除去フィルタが繊維不織布、織物、編み物のうちのいずれかの形態を有する。
【００１０】
本発明の他の一例としては、放射性有機ヨウ素除去フィルタの全体が撥水性繊維不織布または疎水性繊維不織布に包被されている。
【００１１】
本発明の他の一例として放射性有機ヨウ素除去フィルタでは、試験用ヨウ化メチルの初期濃度が約１００ｐｐｍの気体に対し、体積／活性炭素繊維面積比が０．１２５ｍ３／０．２５ｍ２の場合、約７０分放置したパッシブ法による試験用ヨウ化メチルの濃度が０．３ｐｐｍに減少し、体積／活性炭素繊維面積比が０．１２５ｍ３／０．０６２５ｍ２の場合、約２００分放置したパッシブ法による試験用ヨウ化メチルの濃度が４ｐｐｍに減少する。
【００１２】
本発明の他の一例としては、活性炭素繊維の平均繊維径が１０〜１８μｍの範囲にあり、放射性有機ヨウ素除去フィルタの目付が１００〜３５０ｇ／ｍ２の範囲、放射性有機ヨウ素除去フィルタのみかけの嵩密度が０．０３〜０．１３ｇ／ｃｍ３の範囲にある。
【００１３】
本発明の他の一例としては、放射性有機ヨウ素除去フィルタの厚み寸法が２〜４ｍｍの範囲にあり、放射性有機ヨウ素除去フィルタの面速が８〜２０ｃｍ／ｓｅｃの範囲にある。
【００１４】
本発明の他の一例としては、放射性有機ヨウ素を吸着するアミン類が放射性有機ヨウ素除去フィルタを形成する活性炭素繊維に添着され、空気の湿度９５％における放射性有機ヨウ素除去フィルタの放射性有機ヨウ素捕集効率が９５％以上である。
【００１５】
本発明の他の一例としては、アミン類がトリエチレンジアミンＣ６Ｈ１２Ｎ２であり、活性炭素繊維の単位重量に対するトリエチレンジアミンＣ６Ｈ１２Ｎ２の添着量が１０〜２０重量％の範囲にある。
【００１６】
前記課題を解決するための本発明にかかる放射性有機ヨウ素除去方法は、放射性有機ヨウ素を捕集する活性炭素繊維から作られ、縦方向へ延びる両端縁部と横方向へ延びる両側縁部とを有する所定面積のシート状に成型されて空気に含まれる放射性有機ヨウ素を除去する放射性有機ヨウ素除去フィルタを利用し、所定の建造物のうちの空気の流動が少ない密閉された内部空間にフィルタを所定時間放置するパッシブ法により、内部空間における空気の対流によって濃度が均一化する放射性有機ヨウ素を次第に除去することを特徴とする。
【００１７】
本発明の放射性有機ヨウ素除去方法の一例として活性炭素繊維には、放射性有機ヨウ素を吸着するアミン類が添着されている。
【発明の効果】
【００１８】
本発明にかかる放射性有機ヨウ素除去フィルタによれば、それが高比表面積かつ微細な多数の細孔を有する活性炭素繊維から作られ、所定の建造物のうちの空気の流動が少ない密閉された内部空間に設置され、その内部空間に所定時間放置するパッシブ法によって空気に含まれる放射性有機ヨウ素を次第に除去するから、密閉された内部空間の空気に放射性有機ヨウ素が含まれていたとしても、その放射性有機ヨウ素を確実に除去することができ、放射性有機ヨウ素を除去した清浄な空気を作ることができる。この放射性有機ヨウ素除去フィルタは、内部の空気を外部に放出させることができない建造物の内部空間や送電が停止して空調設備を利用することができない建造物の内部空間、故障によって空調設備が停止した建造物の内部空間、災害時に予備発電機等が故障して空調設備を稼動させることができない建造物の内部空間において、そこの空気に含まれる放射性有機ヨウ素を取り除くことができ、そのような悪条件下の内部空間において放射性有機ヨウ素の除去に利用することができる。
【００１９】
プリーツ加工を施すことによって縦方向と横方向とのいずれか一方へ並ぶ複数のプリーツが形成された放射性有機ヨウ素除去フィルタは、プリーツが形成されていない場合と比較し、縦方向や横方向の単位長さ当たりのフィルタの面積を大きくすることができ、内部空間の体積に対するフィルタの面積比が大きくなり、内部空間に対するフィルタの放射性有機ヨウ素の捕集効率を向上させることができる。この放射性有機ヨウ素除去フィルタは、空気の流動が少ない建造物の密閉された内部空間に所定時間放置するパッシブ法によって空気に含まれる放射性有機ヨウ素を次第に除去するから、密閉された悪条件下の内部空間の空気に放射性有機ヨウ素が含まれていたとしても、その放射性有機ヨウ素を確実に除去することができ、放射性有機ヨウ素を除去した清浄な空気を作ることができる。
【００２０】
繊維不織布、織物、編み物のうちのいずれかの形態を有する放射性有機ヨウ素除去フィルタは、それが繊維不織布の形態を有する場合、フィルタの通気性や加工性、柔軟性が向上し、それが織物または編み物の形態を有する場合、フィルタの通気性や加工性、柔軟性が向上するとともに、フィルタの強度を向上させることができる。この放射性有機ヨウ素除去フィルタは、空気の流動が少ない建造物の密閉された内部空間に所定時間放置するパッシブ法によって空気に含まれる放射性有機ヨウ素を次第に除去するから、密閉された悪条件下の内部空間の空気に放射性有機ヨウ素が含まれていたとしても、その放射性有機ヨウ素を確実に除去することができ、放射性有機ヨウ素を除去した清浄な空気を作ることができる。
【００２１】
全体が撥水性繊維不織布または疎水性繊維不織布に包被されている放射性有機ヨウ素除去フィルタは、撥水性繊維不織布または疎水性繊維不織布によって塵埃のフィルタへの付着や水分のフィルタへの滲入を防ぐことができ、塵埃がフィルタに付着することやフィルタが水に濡れることによるフィルタの放射性有機ヨウ素除去性能の低下を防ぐことができる。また、放射性有機ヨウ素除去フィルタが直接外部に露出することによるフィルタの破損を防ぐことができ、フィルタが破損することによるフィルタの放射性有機ヨウ素除去性能の低下を防ぐことができる。
【００２２】
試験用ヨウ化メチルの初期濃度が約１００ｐｐｍの気体に対し、体積／活性炭素繊維面積比が０．１２５ｍ３／０．２５ｍ２の場合、約７０分放置したパッシブ法による試験用ヨウ化メチルの濃度が０．３ｐｐｍに減少し、体積／活性炭素繊維面積比が０．１２５ｍ３／０．０６２５ｍ２の場合、約２００分放置したパッシブ法による試験用ヨウ化メチルの濃度が４ｐｐｍに減少する放射性有機ヨウ素除去フィルタは、内部空間の体積に対して所定面積を有するフィルタが前記時間において前記放射性有機ヨウ素除去性能を発揮するから、密閉された悪条件下の内部空間の空気に放射性有機ヨウ素が含まれていたとしても、その放射性有機ヨウ素を確実に除去することができ、放射性有機ヨウ素を除去した清浄な空気を作ることができる。
【００２３】
活性炭素繊維の平均繊維径が１０〜１８μｍの範囲、放射性有機ヨウ素除去フィルタの目付が１００〜３５０ｇ／ｍ２の範囲、放射性有機ヨウ素除去フィルタのみかけの嵩密度が０．０３〜０．１３ｇ／ｃｍ３の範囲にある放射性有機ヨウ素除去フィルタは、単位体積当たりのフィルタの重量を少なくすることができ、フィルタが嵩張ることはなく、その持ち運びや設置、取り外しを容易に行うことができる。この放射性有機ヨウ素除去フィルタは、内部の空気を外部に放出させることができない建造物の内部空間や送電が停止して空調設備を利用することができない建造物の内部空間、故障によって空調設備が停止した建造物の内部空間、災害時に予備発電機等が故障して空調設備を稼動させることができない建造物の内部空間に容易に設置することができ、空気の流動が少ない密閉された内部空間に所定時間放置するパッシブ法によって空気に含まれる放射性有機ヨウ素を次第に除去するから、密閉された悪条件下の内部空間の空気に放射性有機ヨウ素が含まれていたとしても、その放射性有機ヨウ素を確実に除去することができ、放射性有機ヨウ素を除去した清浄な空気を作ることができる。
【００２４】
放射性有機ヨウ素除去フィルタの厚み寸法が２〜４ｍｍの範囲、放射性有機ヨウ素除去フィルタの面速が８〜２０ｃｍ／ｓｅｃの範囲にある放射性有機ヨウ素除去フィルタは、面速が前記範囲にあるから、優れた通気性を有し、対流によって流動する空気がフィルタを容易に通過し、フィルタを通過する空気の単位時間当たりの通過量が多くなり、空気に含まれる放射性有機ヨウ素を確実に除去することができるのみならず、単位時間当たりの放射性有機ヨウ素の除去量を多くすることができ、単位時間当たりに多量の空気を清浄処理することができる。放射性有機ヨウ素除去フィルタは、フィルタが嵩張ることはなく、その持ち運びや設置、取り外しを容易に行うことができる。この放射性有機ヨウ素除去フィルタは、空気の流動が少ない建造物の密閉された内部空間に所定時間放置するパッシブ法によって空気に含まれる放射性有機ヨウ素を次第に除去するから、密閉された悪条件下の内部空間の空気に放射性有機ヨウ素が含まれていたとしても、その放射性有機ヨウ素を確実に除去することができ、放射性有機ヨウ素を除去した清浄な空気を作ることができる。
【００２５】
放射性有機ヨウ素を吸着するアミン類が放射性有機ヨウ素除去フィルタを形成する活性炭素繊維に添着され、空気の湿度９５％における放射性有機ヨウ素除去フィルタの放射性有機ヨウ素捕集効率が９５％以上である放射性有機ヨウ素除去フィルタは、放射性有機ヨウ素を吸着するアミン類が活性炭素繊維に添着されており、空気の湿度９５％におけるフィルタの放射性有機ヨウ素捕集効率が９５％以上であるから、空気の流動が少ない内部空間の高湿度環境下において優れた放射性有機ヨウ素除去性能を発揮し、そのような環境下の空気に放射性有機ヨウ素が含まれていたとしても、その放射性有機ヨウ素を確実に捕集かつ除去することができ、放射性有機ヨウ素を除去した清浄な空気を作ることができる。この放射性有機ヨウ素除去フィルタは、一度吸着した放射性有機ヨウ素をアミン類が放出することはなく、捕集された放射性有機ヨウ素の放射性有機ヨウ素除去フィルタからの再飛散を確実に防ぐことができる。
【００２６】
アミン類がトリエチレンジアミンＣ６Ｈ１２Ｎ２であり、活性炭素繊維の単位重量に対するトリエチレンジアミンＣ６Ｈ１２Ｎ２の添着量が１０〜２０重量％の範囲にある放射性有機ヨウ素除去フィルタは、アミン類のうち、放射性有機ヨウ素の高い吸着機能を有するトリエチレンジアミンＣ６Ｈ１２Ｎ２を利用することで、放射性有機ヨウ素がそのトリエチレンジアミンＣ６Ｈ１２Ｎ２に瞬時に吸着されるから、空気に放射性有機ヨウ素が含まれていたとしても、その放射性有機ヨウ素を確実に捕集かつ除去することができ、放射性有機ヨウ素を除去した清浄な空気を作ることができる。この放射性有機ヨウ素除去フィルタは、一度吸着した放射性有機ヨウ素をトリエチレンジアミンＣ６Ｈ１２Ｎ２が放出することはなく、捕集された放射性有機ヨウ素の放射性有機ヨウ素除去フィルタからの再飛散を確実に防ぐことができる。
【００２７】
本発明にかかる放射性有機ヨウ素除去方法によれば、高比表面積かつ微細な多数の細孔を有する活性炭素繊維から作られた放射性有機ヨウ素除去フィルタを、所定の建造物のうちの空気の流動が少ない建造物の密閉された内部空間に設置し、その内部空間に所定時間放置するパッシブ法によって空気に含まれる放射性有機ヨウ素を次第に除去するから、密閉された内部空間の空気に放射性有機ヨウ素が含まれていたとしても、その放射性有機ヨウ素を確実に除去することができ、放射性有機ヨウ素を除去した清浄な空気を作ることができる。この放射性有機ヨウ素除去方法は、内部の空気を外部に放出させることができない建造物の内部空間や送電が停止して空調設備を利用することができない建造物の内部空間、故障によって空調設備が停止した建造物の内部空間、災害時に予備発電機等が故障して空調設備を稼動させることができない建造物の内部空間において、放射性有機ヨウ素除去フィルタを所定時間放置することで、そこの空気に含まれる放射性有機ヨウ素を取り除くことができ、そのような悪条件下の内部空間において放射性有機ヨウ素を除去することができる。
【００２８】
放射性有機ヨウ素を吸着するアミン類が活性炭素繊維に添着されている放射性有機ヨウ素除去方法は、活性炭素繊維に捕集された放射性有機ヨウ素をアミン類が吸着し、一度吸着した放射性有機ヨウ素をアミン類が放出することはなく、捕集された放射性有機ヨウ素の再飛散を確実に防ぐことができ、密閉された内部空間の空気に放射性有機ヨウ素が含まれていたとしても、その放射性有機ヨウ素を確実に除去することができ、放射性有機ヨウ素を除去した清浄な空気を作ることができる。
【図面の簡単な説明】
【００２９】
【図１】一例として示す放射性有機ヨウ素除去フィルタの斜視図。
【図２】他の一例として示す放射性有機ヨウ素除去フィルタの斜視図。
【図３】パッシブ法による試験用ヨウ化メチルの濃度測定装置を示す図。
【図４】経過時間と試験用ヨウ化メチルの測定濃度との関係を示す図。
【図５】フィルタにおける放射性有機ヨウ素捕集効率の試験装置を示す図。
【図６】他の一例として示す放射性有機ヨウ素除去フィルタの斜視図。
【図７】図６のＡ−Ａ線端面図。
【図８】他の一例として示す放射性有機ヨウ素除去フィルタの斜視図。
【図９】図８のＢ−Ｂ線端面図。
【図１０】フィルタの使用の一例を示す図。
【図１１】フィルタの使用の他の一例を示す図。
【図１２】フィルタの使用の他の一例を示す図。
【図１３】フィルタの使用の他の一例を示す図。
【図１４】フィルタの使用の他の一例を示す図。
【図１５】フィルタの使用の他の一例を示す図。
【発明を実施するための形態】
【００３０】
一例として示す放射性有機ヨウ素除去フィルタ１０Ａの斜視図である図１等の添付の図面を参照し、本発明にかかる放射性有機ヨウ素除去フィルタおよび放射性有機ヨウ素除去方法の詳細を説明すると、以下のとおりである。なお、図２は、他の一例として示す放射性有機ヨウ素除去フィルタ１０Ｂの斜視図である。図１，２では、縦方向を矢印Ｌで示し、横方向を矢印Ｍで示す。
【００３１】
放射性有機ヨウ素除去フィルタ１０Ａ，１０Ｂは、放射性有機ヨウ素（ヨウ素ガス）が発生するおそれがある原子力関連施設（建造物）や医療施設（建造物）の所定の箇所のうちの空気の流動が少ない密閉された内部空間に設置され、その内部空間に充満する空気に放射性有機ヨウ素が含まれている場合、その放射性有機ヨウ素を除去する。また、その他の建造物のうちの空気の流動が少ない密閉された内部空間に設置され、その内部空間に充満する空気に放射性有機ヨウ素が含まれている場合、その放射性有機ヨウ素を除去する。
【００３２】
空気の流動が少ない密閉された内部空間の一例としては、内部の空気を外部に放出させることができない建造物の内部空間や送電が停止して空調設備を利用することができない建造物の内部空間、故障によって空調設備が停止した建造物の内部空間、災害時に予備発電機等が故障して空調設備を稼動させることができない建造物の内部空間等がある。原子力関連施設には、原子力発電所、中間貯蔵施設、再処理工場、ＭＯＸ燃料工場、高速増殖炉、高速増殖炉用燃料工場、高速増殖炉用再処理工場、高レベル放射性廃棄物最終処分施設等がある。
【００３３】
図１，２に示す放射性有機ヨウ素除去フィルタ１０Ａ，１０Ｂは、縦方向へ延びる両端縁部１１と横方向へ延びる両側縁部１２とを有する。それらフィルタ１０Ａ，１０Ｂは、高比表面積かつ微細な多数の細孔を有して放射性有機ヨウ素を捕集する活性炭素繊維から作られ、所定の面積を有する矩形のシート状に成型されている。図２に示す放射性有機ヨウ素除去フィルタ１０Ｂは、それにプリーツ加工が施され、横方向へ起伏を繰り返して並ぶ複数のプリーツ１３（襞）が形成されている。なお、フィルタ１０Ａ，１０Ｂの面積（大きさ）や形状について限定はなく、その面積を自由に設定することができ、その形状を自由に設計することができる。
【００３４】
放射性有機ヨウ素除去フィルタ１０Ａ，１０Ｂは、繊維不織布、織物、編み物のうちのいずれかの形態を有する。繊維不織布としては、ケミカルボンド不織布、サーマルボンド不織布、エアレイド不織布、スパンボンド不織布、メルトブロー不織布、スパンレース不織布、ニードルパンチ不織布、ステッチボンド不織布を例示することができる。フィルタ１０Ａ，１０Ｂが繊維不織布の形態を有する場合、フィルタ１０Ａ，１０Ｂの通気性や加工性、柔軟性が向上する。また、フィルタ１０Ａ，１０Ｂが織物または編み物の形態を有する場合、フィルタ１０Ａ，１０Ｂの通気性や加工性、柔軟性が向上するとともに、フィルタ１０Ａ，１０Ｂの強度を向上させることができる。
【００３５】
活性炭素繊維は、有機繊維を焼成して炭化し、さらに高温で熱処理をして作られる。活性炭素繊維には、セルロース系やアクリル系、フェノール系、ピッチ系を使用することができる。活性炭素繊維には、その表面から厚み方向へ延びる複数のミクロポアが形成されている。活性炭素繊維には、放射性有機ヨウ素を吸着するトリエチレンジアミンＣ６Ｈ１２Ｎ２（アミン類）が添着されている。活性炭素繊維の単位重量に対するトリエチレンジアミンＣ６Ｈ１２Ｎ２の添着量は、１０〜２０重量％の範囲、好ましくは、１２〜１８重量％の範囲、より好ましくは、１３〜１６重量％の範囲にある。放射性有機ヨウ素除去フィルタ１０Ａ，１０Ｂでは、放射性有機ヨウ素が活性炭素繊維のミクロポアに捕集されるとともに、活性炭素繊維に添着されたトリエチレンジアミンＣ６Ｈ１２Ｎ２が放射性有機ヨウ素を吸着する。
【００３６】
トリエチレンジアミンＣ６Ｈ１２Ｎ２の添着量が１０重量％未満では、トリエチレンジアミンＣ６Ｈ１２Ｎ２を活性炭素繊維の全域に添着させることができない場合があり、トリエチレンジアミンＣ６Ｈ１２Ｎ２を介して放射性有機ヨウ素を活性炭素繊維に十分に吸着させることができず、放射性有機ヨウ素除去フィルタ１０Ａ，１０Ｂにおける放射性有機ヨウ素の吸着性能が不十分になる場合がある。トリエチレンジアミンＣ６Ｈ１２Ｎ２の添着量が２０重量％を超過すると、トリエチレンジアミンＣ６Ｈ１２Ｎ２が活性炭素繊維のミクロポアを塞いでしまう場合があり、放射性有機ヨウ素をミクロポアにおいて捕集することができない場合がある。
【００３７】
アミン類として、トリエチレンジアミンＣ６Ｈ１２Ｎ２が使用されているが、トリエチレンジアミンＣ６Ｈ１２Ｎ２の他に、１，４−ジアザ−２，２，２−ピシクロオクタン、Ｎ，Ｎ‘−ビス−（３−アミノプロピル）−ピペラジン、Ｎ，Ｎ−ジメチル−アミノエチルメタクリレート、Ｎ，Ｎ−ジメチルアミノプロピルアミン、３−アミノプロピルトリメトキシシラン、１，５−ジアザビシクロウンデセン、ポリ−３級−ブチルアミノエチルメタクリレート、ポリエチレンイミン、１，５−ジアザピシクロ〔４，３，０〕ノン−５−エン、１，５−ジアザピシクロ〔５，４，０〕ウンデ７−５−エン、２−メチル−１，４−ジアザピシクロ〔２，２，２〕オクタン、フェニルヒドラジン、２−シアノピリジン、ジイソプロピルアミン、トリメチルアミノエチルピペラジン、ヘキサメチレンテトラミン、メチルピロエチレンイミン、ポリアルキルポリアミンのうちの１種類のアミン類またはそれらの数種類を混合したアミン類を使用することもできる。なお、活性炭素繊維にアミン類が添着されておらず、放射性有機ヨウ素除去フィルタ１０Ａ，１０Ｂがアミン類を添着していない活性炭素繊維から作られていてもよい。
【００３８】
活性炭素繊維の平均繊維径は、１０〜１８μｍの範囲、好ましくは、１２〜１６μｍの範囲にある。平均繊維径が１８μｍを超過すると、活性炭素繊維の幾何学的な表面積が相対的に少なくなるため、放射性有機ヨウ素除去フィルタ１０Ａ，１０Ｂにおける放射性有機ヨウ素の捕集性能が低下する場合がある。平均繊維径が１０μｍ未満では、放射性有機ヨウ素除去フィルタ１０Ａ，１０Ｂの圧力損失が増加してフィルタ１０Ａ，１０Ｂの面速が低下し、それによってフィルタ１０Ａ，１０Ｂの通気性が低下するから、空気がフィルタ１０Ａ，１０Ｂを形成する活性炭素繊維の間隙を通り難くなり、フィルタ１０Ａ，１０Ｂの放射性有機ヨウ素捕集性能が低下する。
【００３９】
放射性有機ヨウ素除去フィルタ１０Ａ，１０Ｂは、その目付が１００〜３５０ｇ／ｍ２の範囲、好ましくは、１５０〜３００ｇ／ｍ２の範囲、より好ましくは、１８０〜２７０ｇ／ｍ２の範囲にある。また、そのみかけの嵩密度が０．０３〜０．１３ｇ／ｃｍ３の範囲、好ましくは、０．０５〜０．０１１ｇ／ｃｍ３の範囲にある。放射性有機ヨウ素除去フィルタ１０Ａ，１０Ｂの目付が１００ｇ／ｍ２未満であって、フィルタ１０Ａ，１０Ｂのみかけの嵩密度が０．０３ｇ／ｃｍ３未満では、フィルタ１０Ａ，１０Ｂの強度が弱く、フィルタ１０Ａ，１０Ｂがその形態を維持することができない場合がある。フィルタ１０Ａ，１０Ｂの目付が３５０ｇ／ｍ２を超過するとともに、フィルタ１０Ａ，１０Ｂのみかけの嵩密度が０．１３ｇ／ｃｍ３を超過すると、放射性有機ヨウ素除去フィルタ１０Ａ，１０Ｂの圧力損失が増加してフィルタ１０Ａ，１０Ｂの面速が低下し、それによってフィルタ１０Ａ，１０Ｂの通気性が低下するから、空気がフィルタ１０Ａ，１０Ｂを形成する活性炭素繊維の間隙を通り難くなり、フィルタ１０Ａ，１０Ｂの放射性有機ヨウ素捕集性能が低下する。
【００４０】
放射性有機ヨウ素除去フィルタ１０Ａ，１０Ｂは、その厚みが２〜４ｍｍの範囲、好ましくは３ｍｍである。フィルタ１０Ａ，１０Ｂの厚みが２ｍｍ未満では、フィルタ１０Ａ，１０Ｂの強度が低下してフィルタ１０Ａ，１０Ｂが破損し易くなるのみならず、フィルタ１０Ａ，１０Ｂの放射性有機ヨウ素捕集性能が低下する。フィルタ１０Ａ，１０Ｂの厚みが４ｍｍを超過すると、放射性有機ヨウ素除去フィルタ１０Ａ，１０Ｂの圧力損失が増加してフィルタ１０Ａ，１０Ｂの面速が低下し、それによってフィルタ１０Ａ，１０Ｂの通気性が低下するから、空気がフィルタ１０Ａ，１０Ｂを形成する活性炭素繊維の間隙を通り難くなり、フィルタ１０Ａ，１０Ｂの放射性有機ヨウ素捕集性能が低下する。
【００４１】
図３は、パッシブ法による試験用ヨウ化メチルの濃度測定装置５０を示す図であり、図４は、経過時間と試験用ヨウ化メチルの測定濃度との関係を示す図である。図４では、縦軸に試験用ヨウ化メチルの測定濃度が表示され、横軸に経過時間が表示されている。図４のうちの実線は、フィルタ収納容器５４に試験用フィルタ５８Ａ，５８Ｂを載置していない場合（空容器）を示し、図４のうちの点線は、フィルタ収納容器５４に試験用フィルタ５８Ａ，５８Ｂを載置した場合であって、体積／活性炭素繊維面積比が０．１２５ｍ３／０．２５ｍ２の場合を示す。図４のうちの一点鎖線は、フィルタ収納容器５４に試験用フィルタ５８Ａ，５８Ｂを載置した場合であって、体積／活性炭素繊維面積比が０．１２５ｍ３／０．０６２５ｍ２の場合を示す。
【００４２】
放射性有機ヨウ素除去フィルタ１０Ａ，１０Ｂでは、試験用ヨウ化メチルの初期濃度が約１００ｐｐｍの気体に対し、体積／活性炭素繊維面積比が０．１２５ｍ３／０．２５ｍ２の場合、約７０分放置したパッシブ法による試験用ヨウ化メチルの濃度が０．３ｐｐｍに減少し、体積／活性炭素繊維面積比が０．１２５ｍ３／０．０６２５ｍ２の場合、約２００分放置したパッシブ法による試験用ヨウ化メチルの濃度が４ｐｐｍに減少する。体積／活性炭素繊維面積比は、内部空間（フィルタ収納容器５４）の体積に対するフィルタ１０Ａ，１０Ｂを形成する活性炭素繊維の面積の比である。
【００４３】
パッシブ法による試験用ヨウ化メチルの濃度の測定は、図３に示す試験装置５０を利用した。試験装置５０は、ボンベ５１、ガス流量計５２、光音響ガスモニタ５３（ガス濃度測定装置）、フィルタ収納容器５４（密閉アクリル容器、縦寸法：５０ｃｍ、横寸法：５０ｃｍ、高さ寸法：５０ｃｍ）、空気流量計５５、吸気ポンプ５６から形成されている。ボンベ５１やガス流量計５２、光音響ガスモニタ５３、フィルタ収納容器５４、空気流量計５５、吸気ポンプ５６は、管路５７を介して接続されている。なお、管路５７には、フィルタ収納容器５４への空気の流入を開閉する切替バルブ（図示せず）が設置されている。
【００４４】
ボンベ５１には、フィルタ収納容器５４に供給する試験用ヨウ化メチルガスが収容されている。フィルタ収納容器５４には、フィルタ１０Ａから作られた第１試験用フィルタ５８Ａ（一辺の長さ：５０ｃｍ、または、一辺の長さ：２５ｃｍ）またはフィルタ１０Ｂから作られた第２試験用フィルタ５８Ｂ（一辺の長さ：５０ｃｍ、または、一辺の長さ：２５ｃｍ）が配置されている。それら試験用フィルタ５８Ａ，５８Ｂは、フィルタ収納容器５４の底面５９に載置される。光音響ガスモニタ５３は、フィルタ収納容器５４に接続され、フィルタ収納容器５４内の空気に含まれる試験用ヨウ化メチルの濃度を連続的または間欠的に測定する。それら試験用フィルタ５８Ａ，５８Ｂの仕様は、トリエチレンジアミンＣ６Ｈ１２Ｎ２の添着量が１５．９重量％、目付が２０９ｇ／ｍ２、厚み寸法が３ｍ、比表面積が１４００〜１４５０である。
【００４５】
なお、第１試験用フィルタ５８Ａは、フィルタ収納容器５４（内部空間）の体積に対するフィルタ５８Ａの活性炭素繊維の面積の比（体積／活性炭素繊維面積比）が０．１２５ｍ３／０．２５ｍ２になるように作られている。第２試験用フィルタ５８Ｂは、フィルタ収納容器５４（内部空間）の体積に対するフィルタ５８Ｂの活性炭素繊維の面積の比（体積／活性炭素繊維面積比）が０．１２５ｍ３／０．０６２５ｍ２になるように作られている。
【００４６】
パッシブ法による試験用ヨウ化メチル濃度の測定手順は、以下のとおりである。第１試験用フィルタ５８Ａをフィルタ収納容器５４の底面５９に載置し（フィルタ５８Ａの一面を容器５４の底面５９に当接させた状態）、吸気ポンプ５６および光音響ガスモニタ５３を稼動させ、空気流量計５５の測定値を確認しつつ、所定流量の空気を管路５７に流した。次に、ガス流量計５２の測定値を確認しつつ、ボンベ５１から一定量の試験用ヨウ化メチルガスを管路５７を介してフィルタ収納容器５４に供給し、光音響ガスモニタ５３を介してフィルタ収納容器５４内の空気に含まれる試験用ヨウ化メチルガスの初期濃度が約１００ｐｐｍになったことを確認した。
【００４７】
試験用ヨウ化メチルガスの初期濃度が約１００ｐｐｍになった後、切替バルブを閉じてフィルタ収納容器５４への空気の流入・流出を停止し、フィルタ収納容器５４内の空気を５分間隔でサンプリングし、光音響ガスモニタ５３を利用してサンプリングした空気に含まれるヨウ化メチルの濃度を測定（５分間隔で測定）した。７０分が経過した後に測定したヨウ化メチルガスの濃度は、０．３ｐｐｍであった。体積／活性炭素繊維面積比が０．１２５ｍ３／０．０６２５ｍ２の第１試験用フィルタ５８Ａのパッシブ法（約７０分放置）による試験用ヨウ化メチルの濃度は、図４に点線で示すように、１００ｐｐｍから０．３ｐｐｍに減少した。
【００４８】
次に、第２試験用フィルタ５８Ｂをフィルタ収納容器５４の底面５９に載置し（フィルタ５８Ｂの一面を容器５４の底面５９に当接させた状態）、吸気ポンプ５６および光音響ガスモニタ５３を稼動させ、空気流量計５５の測定値を確認しつつ、所定流量の空気を管路５７に流した。次に、ガス流量計５２の測定値を確認しつつ、ボンベ５１から一定量の試験用ヨウ化メチルガスを管路５７を介してフィルタ収納容器５４に供給し、光音響ガスモニタ５３を介してフィルタ収納容器５４内の空気に含まれるヨウ化メチルガスの初期濃度が約１００ｐｐｍになったことを確認した。
【００４９】
試験用ヨウ化メチルガスの初期濃度が約１００ｐｐｍになった後、切替バルブを閉じてフィルタ収納容器５４への空気の流入・流出を停止し、フィルタ収納容器５４内の空気を５分間隔でサンプリングし、光音響ガスモニタ５３を利用してサンプリングした空気に含まれるヨウ化メチルの濃度を測定（５分間隔で測定）した。２００分が経過した後に測定したヨウ化メチルガスの濃度は、４ｐｐｍであった。体積／活性炭素繊維面積比が０．１２５ｍ３／０．０６２５ｍ２の第２試験用フィルタ５８Ｂのパッシブ法（約２００分放置）による試験用ヨウ化メチルの濃度は、図４に一点鎖線で示すように、１００ｐｐｍから４ｐｐｍに減少した。なお、フィルタ収納容器５４に試験用フィルタ５８Ａ，５８Ｂを載置しない場合、図４に実線で示すように、長時間が経過しても、ヨウ化メチルの濃度がわずかしか減少していないことが分かる。
【００５０】
図５は、放射性有機ヨウ素除去フィルタ１０Ａ，１０Ｂにおける放射性有機ヨウ素捕集効率の試験装置６０を示す図である。放射性有機ヨウ素除去フィルタ１０Ａ，１０Ｂは、その面速が８〜２０ｃｍ／ｓｅｃの範囲、好ましくは、１５〜２０ｃｍ／ｓｅｃの範囲にあり、空気の湿度９５％における放射性有機ヨウ素捕集効率が９５％以上、好ましくは９７％以上、より好ましくは９９．９９９％以上である。フィルタ１０Ａ，１０Ｂの面速が８ｃｍ／ｓｅｃ未満では、フィルタ１０Ａ，１０Ｂに対する単位時間当たりの空気の通過量が少なくなり、空気がフィルタ１０Ａ，１０Ｂの間隙を通り難く、フィルタ１０Ａ，１０Ｂの放射性有機ヨウ素捕集性能が低下する。フィルタ１０Ａ，１０Ｂの面速が２０ｃｍ／ｓｅｃを超過すると、フィルタ１０Ａ，１０Ｂの通気性が必要以上に高くなり、空気がフィルタ１０Ａ，１０Ｂの間隙に止まり難くなるから、フィルタ１０Ａ，１０Ｂの放射性有機ヨウ素捕集性能が低下する。空気の湿度９５％における放射性有機ヨウ素除去効率が９５％未満では、空気の高湿度環境下において放射性有機ヨウ素を確実に除去することができない場合がある。
【００５１】
放射性有機ヨウ素除去フィルタ１０Ａ，１０Ｂにおける放射性有機ヨウ素捕集効率は、図５に示す試験装置６０を利用し、その測定結果に基づいて割り出した。試験装置６０は、ボンベ６１、ガス流量計６２、光音響ガスモニタ６３（ガス濃度測定装置）、フィルタ収納容器６４、空気流量計６５、吸気ポンプ６６から形成されている。ボンベ６１やガス流量計６２、光音響ガスモニタ６３、フィルタ収納容器６４、空気流量計６５、吸気ポンプ６６は、管路６７を介して接続されている。カートリッジ６４の上流側の管路６７と下流側に管路６７とには、バイパス管路６８が接続されている。なお、管路６７には、フィルタ収納容器６４への空気の流入とバイパス管路６８への空気の流入とを切り替える切替バルブ（図示せず）が設置されている。
【００５２】
ボンベ６１には、管路６７に供給する試験用ヨウ化メチルガスが収容されている。フィルタ収納容器６４には、フィルタ１０Ａまたはフィルタ１０Ｂから作られた試験用フィルタ６９が固定される。光音響ガスモニタ６３は、フィルタ収納容器６４の上流側の管路６７および下流側に管路６７に接続されている。光音響ガスモニタ６３は、管路６７に流れる空気に含まれる試験用ヨウ化メチルの濃度を連続的に測定する。試験用フィルタ６９の仕様は、トリエチレンジアミンＣ６Ｈ１２Ｎ２の添着量が１５．９重量％、目付が２０９ｇ／ｍ２、厚み寸法が３ｍ、比表面積が１４００〜１４５０、重量が０．３８ｇである。
【００５３】
試験手順は、以下のとおりである。試験用フィルタ６９をフィルタ収納容器６４に固定し、吸気ポンプ６６および光音響ガスモニタ６３を稼動させ、空気流量計６５の測定値を確認しつつ、所定流量（面速（１０〜２５ｃｍ／ｓｅｃ）を流量に換算した場合の流量）の空気を管路６７に流し、フィルタ収納容器６４の下流側に延びる管路６７の露点の変化を監視した。露点測定値が設定した値（空気湿度９５％）の場合、切替バルブを介してフィルタ収納容器６４への空気の流入を停止し、バイパス管路６８に一定流量の空気を流した。次に、ガス流量計６２の測定値を確認しつつ、ボンベ６１から一定量のヨウ化メチルガスを管路６７に供給し、光音響ガスモニタ６３を介して空気に含まれるヨウ化メチルガスの濃度が一定の濃度であることを確認した。
【００５４】
試験用ヨウ化メチルガスの濃度が一定の濃度である場合、切替バルブを介してバイパス管路６８への空気の流入を停止し、フィルタ収納容器６４に一定流量の空気を流し、光音響ガスモニタ６３を介してヨウ化メチルガスの濃度を連続して測定した。光音響ガスモニタ６３を利用し、フィルタ収納容器６４の上流側の管路６７から空気をサンプリングしてその空気に含まれるヨウ化メチルの濃度を測定するとともに、フィルタ収納容器６４の下流側の管路６７から空気をサンプリングしてその空気に含まれるヨウ化メチルの濃度を測定した。
【００５５】
ヨウ化メチルガスの濃度測定は、フィルタ収納容器６４の下流側の濃度測定値がフィルタ収納容器６４の上流側の濃度測定値の１／３に達するまで継続した。ヨウ化メチル除去効率（放射性有機ヨウ素捕集効率）は、以下の式によって算出した。η＝（Ｃ１−Ｃ２）／Ｃ１×１００、ここで、ηはヨウ化メチル除去効率（放射性有機ヨウ素捕集効率）（％）、Ｃ１はフィルタ収納容器６４の上流側の空気に含まれるヨウ化メチルの濃度（ｐｐｍ）、Ｃ２はフィルタ収納容器６４の下流側の空気に含まれるヨウ化メチルの濃度（ｐｐｍ）である。試験結果として、ヨウ化メチル除去効率（放射性有機ヨウ素捕集効率）は、９９％以上を示した。なお、試験用フィルタ６９ではヨウ化メチル除去効率（放射性有機ヨウ素捕集効率）９９％以上を示したが、それから割り出したフィルタ１０Ａ，１０Ｂの放射性有機ヨウ素捕集効率として９５％以上を最低効率とし、９９．９９９％以上を最高効率とする。
【００５６】
図６は、他の一例として示す放射性有機ヨウ素除去フィルタ１０Ｃの斜視図であり、図７は、図６のＡ−Ａ線端面図である。図８は、他の一例として示す放射性有機ヨウ素除去フィルタ１０Ｄの斜視図であり、図９は、図８のＢ−Ｂ線端面図である。図６，８では、縦方向を矢印Ｌで示し、横方向を矢印Ｍで示す。
【００５７】
図６の放射性有機ヨウ素除去フィルタ１０Ｃが図１のそれと異なるところは、フィルタ本体１０Ａの全体（フィルタ本体１０Ａの上下面）が撥水性繊維不織布１４または疎水性繊維不織布１４に包被され、フィルタ１０Ｃがフィルタ本体１０Ａと繊維不織布１４とから形成されている点にあり、その他の構成は図１のフィルタ１０Ａと同一であるから、図１と同一の符号を付すとともに、図１の説明を援用し、このフィルタ１０Ｃにおけるその他の構成の説明は省略する。
【００５８】
図８の放射性有機ヨウ素除去フィルタ１０Ｄが図２のそれと異なるところは、フィルタ本体１０Ｂの全体（フィルタ本体１０Ｂの上下面）が撥水性繊維不織布１４または疎水性繊維不織布１４に包被され、フィルタ１０Ｄがフィルタ本体１０Ｂと繊維不織布１４とから形成されている点にあり、その他の構成は図２のフィルタ１０Ｂと同一であるから、図２と同一の符号を付すとともに、図２の説明を援用し、このフィルタ１０Ｄにおけるその他の構成の詳細な説明は省略する。
【００５９】
図６，８に示す放射性有機ヨウ素除去フィルタ１０Ｃ，１０Ｄは、縦方向へ延びる両端縁部１１と横方向へ延びる両側縁部１２とを有する。フィルタ本体１０Ａ，１０Ｂは、放射性有機ヨウ素を捕集する活性炭素繊維から作られ、所定の面積を有する矩形のシート状に成型されている。図８に示すフィルタ本体１０Ｂは、それにプリーツ加工が施され、横方向へ起伏を繰り返して並ぶ複数のプリーツ１３が形成されている。フィルタ本体１０Ａ，１０Ｂは、繊維不織布、織物、編み物のうちのいずれかの形態を有する。活性炭素繊維には、放射性有機ヨウ素を吸着するトリエチレンジアミンＣ６Ｈ１２Ｎ２（アミン類）が添着されている。
【００６０】
撥水性繊維不織布１４や疎水性繊維不織布１４は、その厚みが０．２〜０．７ｍｍの範囲、好ましくは０．４〜０．５ｍｍである。不織布１４の厚みが０．２ｍｍ未満では、不織布１４の強度が低下し、不織布１４が破損し易く、フィルタ本体１０Ａ，１０Ｂを保護することができない。不織布１４の厚みが０．７ｍｍを超過すると、不織布１４における通気性が低下し、その結果、フィルタ本体１０Ａ，１０Ｂの通気性が低下し、空気がフィルタ本体１０Ａ，１０Ｂを形成する活性炭素繊維の間隙を通り難くなり、フィルタ１０Ａ，１０Ｂの放射性有機ヨウ素捕集性能が低下する。
【００６１】
なお、フィルタ本体１０Ａ，１０Ｂを包被する撥水性繊維不織布１４または疎水性繊維不織布１４としては、ケミカルボンド不織布、サーマルボンド不織布、エアレイド不織布、スパンボンド不織布、メルトブロー不織布、スパンレース不織布、ニードルパンチ不織布、ステッチボンド不織布を使用することができる。
【００６２】
フィルタ本体１０Ａ，１０Ｂを形成する活性炭素繊維の単位重量に対するトリエチレンジアミンＣ６Ｈ１２Ｎ２の添着量は、図１，２のフィルタ１０Ａ，１０Ｂを形成する活性炭素繊維のそれと同一であり、１０〜２０重量％の範囲、好ましくは、１２〜１８重量％の範囲、より好ましくは、１３〜１６重量％の範囲にある。フィルタ本体１０Ａ，１０Ｂを形成する活性炭素繊維の平均繊維径は、図１，２のフィルタ１０Ａ，１０Ｂを形成する活性炭素繊維のそれと同一であり、１０〜１８μｍの範囲、好ましくは、１２〜１６μｍの範囲にある。
【００６３】
フィルタ本体１０Ａ，１０Ｂの目付は、図１，２のフィルタ１０Ａ，１０Ｂのそれと同一であり、１００〜３５０ｇ／ｍ２の範囲、好ましくは、１５０〜３００ｇ／ｍ２の範囲、より好ましくは、１８０〜２７０ｇ／ｍ２の範囲にある。フィルタ本体１０Ａ，１０Ｂのみかけの嵩密度は、図１，２のフィルタ１０Ａ，１０Ｂのそれらと同一であり、０．０３〜０．１３ｇ／ｃｍ３の範囲、好ましくは、０．０５〜０．０１１ｇ／ｃｍ３の範囲にある。フィルタ本体１０Ａ，１０Ｂの厚みは、図１，２のフィルタ１０Ａ，１０Ｂのそれと同一であり、２〜４ｍｍの範囲、好ましくは３ｍｍである。放射性有機ヨウ素除去フィルタ１０Ａ〜１０Ｄは、単位体積当たりのフィルタの重量を少なくすることができ、フィルタが嵩張ることはなく、その持ち運びや設置、取り外しを容易に行うことができる。
【００６４】
放射性有機ヨウ素除去フィルタ１０Ｃ，１０Ｄでは、試験用ヨウ化メチルの初期濃度が約１００ｐｐｍの気体に対し、体積／活性炭素繊維面積比が０．１２５ｍ３／０．２５ｍ２の場合、約７０分放置したパッシブ法による試験用ヨウ化メチルの濃度が０．３ｐｐｍに減少し、体積／活性炭素繊維面積比が０．１２５ｍ３／０．０６２５ｍ２の場合、約２００分放置したパッシブ法による試験用ヨウ化メチルの濃度が４ｐｐｍに減少する。なお、パッシブ法による試験用ヨウ化メチルの濃度の測定は、図３に示す試験装置５０を利用し、図３において説明した手順で行った。
【００６５】
放射性有機ヨウ素除去フィルタ１０Ａ〜１０Ｄは、内部空間の体積に対して所定面積を有するフィルタ１０Ａ〜１０Ｄが前記時間（７０分、２００分）において前記放射性有機ヨウ素除去性能を発揮するから、密閉された悪条件下の内部空間の空気に放射性有機ヨウ素が含まれていたとしても、その放射性有機ヨウ素を確実に除去することができ、放射性有機ヨウ素を除去した清浄な空気を作ることができる。
【００６６】
放射性有機ヨウ素除去フィルタ１０Ｃ，１０Ｄは、その面速が８〜２０ｃｍ／ｓｅｃの範囲、好ましくは、１５〜２０ｃｍ／ｓｅｃの範囲にあり、空気の湿度９５％における放射性有機ヨウ素捕集効率が９５％以上、好ましくは９７％以上、より好ましくは９９．９９９％以上である。フィルタ１０Ｃ，１０Ｄにおける放射性有機ヨウ素捕集効率は、図５に示す試験装置６０を利用し、図５において説明した手順で行った。
【００６７】
放射性有機ヨウ素除去フィルタ１０Ａ〜１０Ｄは、その面速が前記範囲にあるから、優れた通気性を有し、対流によって流動する空気がフィルタを容易に通過し、フィルタを通過する空気の単位時間当たりの通過量が多くなり、空気に含まれる放射性有機ヨウ素を確実に除去することができるのみならず、単位時間当たりの放射性有機ヨウ素の除去量を多くすることができ、単位時間当たりに多量の空気を清浄処理することができる。
【００６８】
放射性有機ヨウ素除去フィルタ１０Ａ〜１０Ｄは、放射性有機ヨウ素を吸着するアミン類が活性炭素繊維に添着されており、空気の湿度９５％におけるシート１９の放射性有機ヨウ素除去効率が９５％以上であるから、空気の高湿度環境下において優れた放射性有機ヨウ素捕集性能を発揮し、空気に放射性有機ヨウ素が含まれていたとしても、その放射性有機ヨウ素を確実に捕集かつ除去することができ、放射性有機ヨウ素を除去した清浄な空気を作ることができる。放射性有機ヨウ素除去フィルタ１０Ａ〜１０Ｄは、一度吸着した放射性有機ヨウ素をアミン類が放出することはなく、捕集された放射性有機ヨウ素のフィルタ１０Ａ〜１０Ｄからの再飛散を確実に防ぐことができる。
【００６９】
フィルタ１０Ａ〜１０Ｄの使用の一例としては、それらフィルタ１０Ａ〜１０Ｄを建造物の所定の箇所のうちの空気の流動が少ない密閉された内部空間の床に敷き（床に敷設）、所定期間放置する（パッシブ法）。または、それらフィルタ１０Ａ〜１０Ｄを建造物の所定の箇所のうちの空気の流動が少ない密閉された内部空間の壁に掛け、所定期間放置する（パッシブ法）。
【００７０】
建造物の内部空間の空気に放射性有機ヨウ素（ヨウ素ガス）が含まれていると、内部空間の熱による空気の対流によってその放射性有機ヨウ素の濃度が内部空間において次第に均一化する。放射性有機ヨウ素の濃度が均一化する過程において、放射性有機ヨウ素が床に敷かれたフィルタ１０Ａ〜１０Ｄを形成する活性炭素繊維の間隙を通り、放射性有機ヨウ素が活性炭素繊維に捕集されるとともに、トリエチレンジアミンＣ６Ｈ１２Ｎ２に吸着される。また、放射性有機ヨウ素が壁に掛けられたフィルタ１０Ａ〜１０Ｄを形成する活性炭素繊維の間隙を通り、放射性有機ヨウ素が活性炭素繊維に捕集されるとともに、トリエチレンジアミンＣ６Ｈ１２Ｎ２に吸着される。
【００７１】
放射性有機ヨウ素の捕集・吸収によって、内部空間の放射性有機ヨウ素の濃度が稀釈するが、稀釈した放射性有機ヨウ素の濃度が内部空間において再び均一化する。放射性有機ヨウ素の濃度が再び均一化する過程において放射性有機ヨウ素がフィルタを形成する活性炭素繊維の間隙を通り、放射性有機ヨウ素が活性炭素繊維に捕集されるとともに、トリエチレンジアミンＣ６Ｈ１２Ｎ２に吸着される。このように、放射性有機ヨウ素の捕集・吸着と濃度の均一化とを繰り返すことで、内部空間の空気に含まれる放射性有機ヨウ素がフィルタ１０Ａ〜１０Ｄによって次第に除去される。
【００７２】
フィルタ１０Ａ〜１０Ｄを内部空間の床に敷き、所定期間が経過した後、古いフィルタ１０Ａ〜１０Ｄを床から取り除き、新しいフィルタ１０Ａ〜１０Ｄを床に敷き、フィルタ１０Ａ〜１０Ｄを所定期間放置する（パッシブ法）。フィルタ１０Ａ〜１０Ｄを内部空間の壁に掛け、所定期間が経過した後、古いフィルタ１０Ａ〜１０Ｄを壁から取り除き、新しいフィルタ１０Ａ〜１０Ｄを壁に掛け、フィルタ１０Ａ〜１０Ｄを所定期間放置する（パッシブ法）。フィルタ１０Ａ〜１０Ｄは、それらを空気の流動が少ない密閉された内部空間の床に敷き、または、それらを空気の流動が少ない密閉された内部空間の壁に掛け、フィルタ１０Ａ〜１０Ｄを所定時間放置するパッシブ法によって放射性有機ヨウ素を次第に除去する放射性有機ヨウ素除去方法に利用することができる。
【００７３】
図１０は、フィルタ１０Ａの使用の一例を示す図であり、図１１は、フィルタ１０Ｂの使用の他の一例を示す図である。図１０，１１では、横方向を矢印Ｍ、上下方向を矢印Ｎで示し、前後方向を矢印Ｏで示す。なお、図１０では、図１に示すフィルタ１０Ａが使用されているが、図１のフィルタ１０Ａに替えて図３のフィルタ１０Ｃを使用することもできる。また、図１１では、図２に示すフィルタ１０Ｂが使用されているが、図２のフィルタ１０Ｂに替えて図５のフィルタ１０Ｄを使用することもできる。
【００７４】
図１０，１１は、移動式ハンガー１５を利用するフィルタ１０Ａ，１０Ｂの使用例を示す。移動式ハンガー１５は、横方向へ延びる２本の下端パイプ１６と、それら下端パイプ１６につながって上下方向へ延びる６本の接続パイプ１７と、それら接続パイプ１７につながって前後方向へ延びる３本のハンガーパイプ１８とから形成されている。下端パイプ１６には、ハンガー１５を移動させることが可能なキャスター１９が取り付けられている。
【００７５】
フィルタ１０Ａ，１０Ｂは、各ハンガーパイプ１８に掛けられ、ハンガーパイプ１８と下端パイプ１６との間において幅方向へ起伏を繰り返すように垂れ下げられている。フィルタ１０Ａ，１０Ｂがそのような使用状態にある移動式ハンガー１５を建造物の所定の箇所のうちの空気の流動が少ない密閉された内部空間に設置し、所定期間放置する（パッシブ法）。
【００７６】
移動式ハンガー１５を設置した建造物の内部空間の空気に放射性有機ヨウ素（ヨウ素ガス）が含まれている場合、その内部空間の熱による空気の対流により放射性有機ヨウ素の濃度が均一化する過程において、放射性有機ヨウ素がハンガーパイプ１８に掛けられたフィルタ１０Ａ，１０Ｂを形成する活性炭素繊維の間隙を通り、放射性有機ヨウ素が活性炭素繊維に捕集されるとともに、トリエチレンジアミンＣ６Ｈ１２Ｎ２に吸着される。さらに、放射性有機ヨウ素の濃度が再び均一化する過程において、放射性有機ヨウ素が活性炭素繊維の間隙を通り、放射性有機ヨウ素が活性炭素繊維に捕集されるとともに、トリエチレンジアミンＣ６Ｈ１２Ｎ２に吸着される。
【００７７】
ハンガーパイプに掛けられたフィルタ１０Ａ，１０Ｂを建造物の内部空間に放置し、所定期間が経過した後、移動式ハンガーを内部空間から他の箇所に移動させ、古いフィルタ１０Ａ，１０Ｂをハンガーパイプから取り外し、新しいフィルタ１０Ａ，１０Ｂをハンガーパイプに掛けて図１０，１１の使用状態とし、移動式ハンガーを再び内部空間に移動させ、所定期間放置する（パッシブ法）。
【００７８】
図１２は、フィルタ１０Ａの使用の他の一例を示す図であり、図１３は、フィルタ１０Ｂの使用の他の一例を示す図である。図１２，１３では、横方向を矢印Ｍで示し、上下方向を矢印Ｎで示す。なお、図１２では、図１に示すフィルタ１０Ａが使用されているが、図１のフィルタ１０Ａに替えて図３のフィルタ１０Ｃを使用することもできる。また、図１３では、図２に示すフィルタ１０Ｂが使用されているが、図２のフィルタ１０Ｂに替えて図５のフィルタ１０Ｄを使用することもできる。
【００７９】
図１２，１３は、カーテン２０として利用するフィルタ１０Ａ，１０Ｂの使用例を示す。カーテン２０（フィルタ１０Ａ，１０Ｂ）は、カーテンレール２１に吊り下げフック２２を介して吊り下げられている。フィルタ１０Ａ，１０Ｂを使用したカーテン２０を建造物の所定の箇所のうちの空気の流動が少ない密閉された内部空間に設置し、所定期間放置する（パッシブ法）。
【００８０】
カーテン２０を設置した建造物の内部空間の空気に放射性有機ヨウ素（ヨウ素ガス）が含まれている場合、その内部空間の熱による空気の対流により放射性有機ヨウ素の濃度が均一化する過程において、放射性有機ヨウ素がカーテン２０（フィルタ１０Ａ，１０Ｂ）を形成する活性炭素繊維の間隙を通り、放射性有機ヨウ素が活性炭素繊維に捕集されるとともに、トリエチレンジアミンＣ６Ｈ１２Ｎ２に吸着される。さらに、放射性有機ヨウ素の濃度が再び均一化する過程において、放射性有機ヨウ素が活性炭素繊維の間隙を通り、放射性有機ヨウ素が活性炭素繊維に捕集されるとともに、トリエチレンジアミンＣ６Ｈ１２Ｎ２に吸着される。カーテン２０を建造物の内部空間に放置し、所定期間が経過した後、古いカーテン２０をカーテンレール２１から取り外し、新しいカーテン２０をカーテンレール２１に取り付けて図１２，１３の使用状態とし、カーテン２０を再び内部空間において所定期間放置する（パッシブ法）。
【００８１】
図１４は、フィルタ１０Ａの使用の他の一例を示す図であり、図１５は、フィルタ１０Ｂの使用の他の一例を示す図である。なお、図１４では、図１に示すフィルタ１０Ａが使用されているが、図１のフィルタ１０Ａに替えて図３のフィルタ１０Ｃを使用することもできる。また、図１５では、図２に示すフィルタ１０Ｂが使用されているが、図２のフィルタ１０Ｂに替えて図５のフィルタ１０Ｄを使用することもできる。図１４，１５は、カバー２３として利用するフィルタ１０Ａ，１０Ｂの使用例を示す。
【００８２】
カバー２３（フィルタ１０Ａ，１０Ｂ）は、建造物の所定の箇所のうちの空気の流動が少ない密閉された内部空間に設置された機械や器具等の物品２４の上に掛けられた状態で所定期間放置される（パッシブ法）。物品２４が設置された建造物の内部空間の空気に放射性有機ヨウ素（ヨウ素ガス）が含まれている場合、その内部空間の熱による空気の対流により放射性有機ヨウ素の濃度が均一化する過程において、放射性有機ヨウ素がカバー２３（フィルタ１０Ａ，１０Ｂ）を形成する活性炭素繊維の間隙を通り、放射性有機ヨウ素が活性炭素繊維に捕集されるとともに、トリエチレンジアミンＣ６Ｈ１２Ｎ２に吸着される。さらに、放射性有機ヨウ素の濃度が再び均一化する過程において、放射性有機ヨウ素が活性炭素繊維の間隙を通り、放射性有機ヨウ素が活性炭素繊維に捕集されるとともに、トリエチレンジアミンＣ６Ｈ１２Ｎ２に吸着される。カバー２３を建造物の内部空間に放置し、所定期間が経過した後、古いカバー２３を物品２４から取り去り、物品２４の上に新しいカバー２３を掛けて図１４，１５の使用状態とし、カバー２３を再び内部空間において所定期間放置する（パッシブ法）。
【００８３】
放射性有機ヨウ素除去フィルタ１０Ａ〜１０Ｄは、それが高比表面積かつ微細な多数の細孔を有する活性炭素繊維から作られ、所定の建造物のうちの空気の流動が少ない密閉された内部空間に設置され、その内部空間に所定時間放置するパッシブ法によって空気に含まれる放射性有機ヨウ素を次第に除去するから、密閉された内部空間の空気に放射性有機ヨウ素が含まれていたとしても、その放射性有機ヨウ素を確実に除去することができ、放射性有機ヨウ素を除去した清浄な空気を作ることができる。
【００８４】
放射性有機ヨウ素除去フィルタ１０Ａ〜１０Ｄは、内部の空気を外部に放出させることができない建造物の内部空間や送電が停止して空調設備を利用することができない建造物の内部空間、故障によって空調設備が停止した建造物の内部空間、災害時に予備発電機等が故障して空調設備を稼動させることができない建造物の内部空間において、そこの空気に含まれる放射性有機ヨウ素を取り除くことができ、そのような悪条件下の内部空間において放射性有機ヨウ素の除去に利用することができる。
【００８５】
複数のプリーツが形成された放射性有機ヨウ素除去フィルタ１０Ｂ，１０Ｄは、プリーツが形成されていない場合と比較し、縦方向や横方向の単位長さ当たりのフィルタ１０Ｂ，１０Ｄの面積を大きくすることができ、内部空間の体積に対するフィルタ１０Ｂ，１０Ｄの面積比が大きくなり、内部空間に対するフィルタ１０Ｂ，１０Ｄの放射性有機ヨウ素の捕集効率を向上させることができる。
【００８６】
全体が撥水性繊維不織布または疎水性繊維不織布に包被された放射性有機ヨウ素除去フィルタ１０Ｃ，１０Ｄは、撥水性繊維不織布または疎水性繊維不織布によって塵埃のフィルタ１０Ｃ，１０Ｄへの付着や水分のフィルタ１０Ｃ，１０Ｄへの滲入を防ぐことができ、塵埃がフィルタ１０Ｃ，１０Ｄに付着することやフィルタ１０Ｃ，１０Ｄが水に濡れることによるフィルタ１０Ｃ，１０Ｄの放射性有機ヨウ素除去性能の低下を防ぐことができる。また、放射性有機ヨウ素除去フィルタ１０Ｃ，１０Ｄが直接外部に露出することによるフィルタ１０Ｃ，１０Ｄの破損を防ぐことができ、フィルタ１０Ｃ，１０Ｄが破損することによるフィルタ１０Ｃ，１０Ｄの放射性有機ヨウ素除去性能の低下を防ぐことができる。
【符号の説明】
【００８７】
１０Ａ  放射性有機ヨウ素除去フィルタ（フィルタ本体）
１０Ｂ  放射性有機ヨウ素除去フィルタ（フィルタ本体）
１０Ｃ  放射性有機ヨウ素除去フィルタ
１０Ｄ  放射性有機ヨウ素除去フィルタ
１１    両端部
１２    両側部
１３    プリーツ
１４    繊維不織布
１５    移動式ハンガー
２０    カーテン
２３    カバー
【図１】
2012247337.tif 000003
【図２】
2012247337.tif 000004
【図３】
2012247337.tif 000005
【図４】
2012247337.tif 000006
【図５】
2012247337.tif 000007
【図６】
2012247337.tif 000008
【図７】
2012247337.tif 000009
【図８】
2012247337.tif 000010
【図９】
2012247337.tif 000011
【図１０】
2012247337.tif 000012
【図１１】
2012247337.tif 000013
【図１２】
2012247337.tif 000014
【図１３】
2012247337.tif 000015
【図１４】
2012247337.tif 000016
【図１５】
2012247337.tif 000017